【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
キャリア及びトナー粒子を含む液体現像剤で現像された像を担持する像担持体と、
前記像担持体に当接する像担持体クリーニングブレードと、
前記像担持体に担持された像が転写される中間転写体と、
バイアス電圧が印加されると共に前記中間転写体に当接する中間転写体クリーニングローラと、
前記中間転写体に当接する中間転写体クリーニングブレードと、を有し、
前記像担持体クリーニングブレードが前記像担持体に当接する角度は、前記中間転写体クリーニングブレードが前記中間転写体に当接する角度より大きいことを特徴とする画像形成装置。
【請求項２】
キャリア及びトナー粒子を含む液体現像剤で現像された像を担持する像担持体と、
前記像担持体に当接する像担持体クリーニングブレードと、
前記像担持体に担持された像が転写される中間転写体と、
バイアス電圧が印加されると共に前記中間転写体に当接する中間転写体クリーニングローラと、
前記中間転写体に当接する中間転写体クリーニングブレードと、を有し、
前記像担持体クリーニングブレードが前記像担持体に当接する圧力は、前記中間転写体クリーニングブレードが前記中間転写体に当接する圧力より大きいことを特徴とする画像形成装置。
【請求項３】
バイアス電圧が印加されると共に前記像担持体に当接する像担持体クリーニングローラを有する請求項１又は請求項２に記載の画像形成装置。
【請求項４】
前記像担持体クリーニングローラに印加されるバイアス電圧ＶAと前記中間転写体クリー
ニングローラに印加される前記バイアス電圧ＶBとは、
ＶA＜ＶB
の関係を有する請求項３に記載の画像形成装置。
【請求項５】
前記像担持体を複数有し、
複数の前記像担持体のそれぞれにバイアス電圧が印加されると共に前記像担持体に当接す
る前記像担持体クリーニングローラが設けられ、
複数の前記像担持体クリーニングローラのそれぞれに印加されるバイアス電圧は前記中間転写体クリーニングローラに印加されるバイアス電圧より低い請求項３に記載の画像形成装置。
【請求項６】
キャリア及びトナー粒子を含む液体現像剤で像担持体を現像し、
像担持体に現像された像を中間転写体に転写し、
前記像が転写された前記像担持体を第1の角度で当接する像担持体クリーニングブレード
で前記像担持体をクリーニングし、
前記中間転写体に転写された前記像を記録媒体に転写し、
前記記録媒体に前記像を転写した前記中間転写体に、バイアス電圧が印加された中間転写体クリーニングローラを当接させてクリーニングし、
前記中間転写体クリーニングローラでクリーニングされた前記中間転写体に、前記前記第1の角度よりも小さい第2の角度で当接する中間転写体クリーニングブレードでクリーニングすることを特徴とする画像形成方法。
【請求項７】
前記像担持体クリーニングブレードは、前記像担持体に対して当接もしくは離間する請求項６に記載の画像形成方法。
【手続補正２】
【補正対象書類名】明細書
【補正対象項目名】発明の名称
【補正方法】変更
【補正の内容】
【発明の名称】画像形成装置及び画像形成方法
【手続補正３】
【補正対象書類名】明細書
【補正対象項目名】０００６
【補正方法】変更
【補正の内容】
【０００６】
本発明は上記課題を解決するためのもので、本発明に係る画像形成装置は、キャリア及びトナー粒子を含む液体現像剤で現像された像を担持する像担持体と、前記像担持体に当接する像担持体クリーニングブレードと、前記像担持体に担持された像が転写される中間転写体と、バイアス電圧が印加されると共に前記中間転写体に当接する中間転写体クリーニングローラと、前記中間転写体に当接する中間転写体クリーニングブレードと、を有し、前記像担持体クリーニングブレードが前記像担持体に当接する角度は、前記中間転写体クリーニングブレードが前記中間転写体に当接する角度より大きいことを特徴とする。
【手続補正４】
【補正対象書類名】明細書
【補正対象項目名】０００７
【補正方法】変更
【補正の内容】
【０００７】
また、本発明に係る画像形成装置は、キャリア及びトナー粒子を含む液体現像剤で現像された像を担持する像担持体と、前記像担持体に当接する像担持体クリーニングブレードと、前記像担持体に担持された像が転写される中間転写体と、バイアス電圧が印加されると共に前記中間転写体に当接する中間転写体クリーニングローラと、前記中間転写体に当
接する中間転写体クリーニングブレードと、を有し、前記像担持体クリーニングブレードが前記像担持体に当接する圧力は、前記中間転写体クリーニングブレードが前記中間転写体に当接する圧力より大きいことを特徴とする。
【手続補正５】
【補正対象書類名】明細書
【補正対象項目名】０００８
【補正方法】変更
【補正の内容】
【０００８】
また、本発明に係る画像形成装置は、バイアス電圧が印加されると共に前記像担持体に当接する像担持体クリーニングローラを有する。
【手続補正６】
【補正対象書類名】明細書
【補正対象項目名】０００９
【補正方法】変更
【補正の内容】
【０００９】
また、本発明に係る画像形成装置は、前記像担持体クリーニングローラに印加されるバイアス電圧ＶAと前記中間転写体クリーニングローラに印加される前記バイアス電圧ＶBとは、ＶA＜ＶBの関係を有する。
【手続補正７】
【補正対象書類名】明細書
【補正対象項目名】００１０
【補正方法】変更
【補正の内容】
【００１０】
また、本発明に係る画像形成装置は、前記像担持体を複数有し、複数の前記像担持体のそれぞれにバイアス電圧が印加されると共に前記像担持体に当接する前記像担持体クリーニングローラが設けられ、複数の前記像担持体クリーニングローラのそれぞれに印加されるバイアス電圧は前記中間転写体クリーニングローラに印加されるバイアス電圧より低い。
【手続補正８】
【補正対象書類名】明細書
【補正対象項目名】００１１
【補正方法】変更
【補正の内容】
【００１１】
また、本発明に係る画像形成方法は、キャリア及びトナー粒子を含む液体現像剤で像担持体を現像し、像担持体に現像された像を中間転写体に転写し、前記像が転写された前記像担持体を第1の角度で当接する像担持体クリーニングブレードで前記像担持体をクリー
ニングし、前記中間転写体に転写された前記像を記録媒体に転写し、前記記録媒体に前記像を転写した前記中間転写体に、バイアス電圧が印加された中間転写体クリーニングローラを当接させてクリーニングし、
前記中間転写体クリーニングローラでクリーニングされた前記中間転写体に、前記前記第1の角度よりも小さい第2の角度で当接する中間転写体クリーニングブレードでクリーニングすることを特徴とする。
【手続補正９】
【補正対象書類名】明細書
【補正対象項目名】００１２
【補正方法】変更
【補正の内容】
【００１２】
また、本発明に係る画像形成方法は、前記像担持体クリーニングブレードは、前記像担持体に対して当接もしくは離間する。
【手続補正１０】
【補正対象書類名】明細書
【補正対象項目名】００１３
【補正方法】削除
【補正の内容】
【手続補正１１】
【補正対象書類名】明細書
【補正対象項目名】０１１６
【補正方法】変更
【補正の内容】
【０１１６】
なお、本明細書においては、種々の実施の形態について説明したが、それぞれの実施の形態の構成を適宜組み合わせて構成された実施形態も本発明の範疇となるものである。
以下、本発明の参考実施形態について付記しておく。本発明の参考実施形態に係る画像形成装置は、キャリアとトナー粒子とを含む液体現像剤による現像像を担持する像担持体と、前記像担持体に当接する像担持体クリーニングブレードと、前記像担持体から現像像が転写される中間転写体と、バイアス電圧ＶBが印加されると共に前記中間転写体に当接
する中間転写体クリーニングローラと、前記中間転写体に当接する中間転写体クリーニングブレードと、を有し、前記像担持体クリーニングブレードが前記像担持体に当接する角度は、前記中間転写体クリーニングブレードが前記中間転写体に当接する角度より大きいことを特徴とする。
また、本発明の参考実施形態に係る画像形成装置は、キャリアとトナー粒子とを含む液体現像剤による現像像を担持する像担持体と、前記像担持体に当接する像担持体クリーニングブレードと、前記像担持体から現像像が転写される中間転写体と、バイアス電圧ＶB
が印加されると共に前記中間転写体に当接する中間転写体クリーニングローラと、前記中間転写体に当接する中間転写体クリーニングブレードと、を有し、前記像担持体クリーニングブレードが前記像担持体に当接する圧力は、前記中間転写体クリーニングブレードが前記中間転写体に当接する圧力より大きいことを特徴とする。
また、本発明の参考実施形態に係る画像形成装置は、バイアス電圧ＶAが印加されると
共に前記像担持体に当接する像担持体クリーニングローラを有することを特徴とする。
また、本発明に係る画像形成装置は、前記バイアス電圧ＶAと前記バイアス電圧ＶBとの間に、ＶA＜ＶBの関係を有することを特徴とする。
また、本発明の参考実施形態に係る画像形成装置は、前記像担持体が複数あり、複数の前記像担持体のそれぞれにはバイアス電圧が印加されると共に前記像担持体に当接する像担持体クリーニングローラが設けられ、いずれの前記像担持体クリーニングローラに印加されるバイアス電圧も前記バイアス電圧ＶBより低く設定されることを特徴とする。
また、本発明の参考実施形態に係る画像形成装置の制御方法は、キャリアとトナー粒子とを含む液体現像剤による現像像を担持する像担持体と、前記像担持体に当接する像担持体クリーニングブレードと、前記像担持体クリーニングブレードを前記像担持体に当離接する像担持体クリーニングブレード当離接機構と、前記像担持体から現像像が転写される
中間転写体と、バイアス電圧ＶBが印加されると共に前記中間転写体に当接する中間転写
体クリーニングローラと、前記中間転写体に当接する中間転写体クリーニングブレードと、を有する画像形成装置の制御方法であって、前記像担持体クリーニングブレード当離接機構は、前記像担持体クリーニングブレードの前記像担持体に対する当接角度が、前記中間転写体クリーニングブレードの前記中間転写体に対する当接角度より大きくなるように前記像担持体クリーニングブレードを当接させることを特徴とする。
また、本発明の参考実施形態に係る画像形成装置の制御方法は、キャリアとトナー粒子とを含む液体現像剤による現像像を担持する像担持体と、前記像担持体に当接する像担持体クリーニングブレードと、前記像担持体クリーニングブレードを前記像担持体に当離接する像担持体クリーニングブレード当離接機構と、前記像担持体から現像像が転写される中間転写体と、バイアス電圧ＶBが印加されると共に前記中間転写体に当接する中間転写
体クリーニングローラと、前記中間転写体に当接する中間転写体クリーニングブレードと、を有する画像形成装置の制御方法であって、前記像担持体クリーニングブレード当離接機構は、前記像担持体クリーニングブレードの前記像担持体に対する当接圧力が、前記中間転写体クリーニングブレードの前記中間転写体に対する当接圧力より大きくなるように前記像担持体クリーニングブレードを当接させることを特徴とする。
また、本発明の参考実施形態に係る画像形成装置の制御方法は、キャリアとトナー粒子とを含む液体現像剤による現像像を担持する像担持体と、前記像担持体に当接する像担持体クリーニングブレードと、前記像担持体から現像像が転写される中間転写体と、バイアス電圧ＶBが印加されると共に前記中間転写体に当接する中間転写体クリーニングローラ
と、前記中間転写体に当接する中間転写体クリーニングブレードと、前記中間転写体クリーニングブレードを前記中間転写体に当離接する中間転写体クリーニングブレード当離接機構と、を有する画像形成装置の制御方法であって、前記中間転写体クリーニングブレード当離接機構は、所定動作開始前に前記中間転写体クリーニングブレードを離間することを特徴とする。